(57)【要約】【課題】  電子アルバム作成にあたり、旅行計画の過程で無理なく事前のレイアウト設定を可能とし、事後の分類、整理を容易化する。【解決手段】  行程シナリオ生成部３３が、例えば、旅行する地域や、観る、食べる等の旅行テーマから成る基本情報が利用者によって入力されることにより、事前に用意されたシナリオ作成用素材データ３６から関連画像を抽出して電子アルバム形式の行程シナリオを生成し、電子アルバム生成部３４が、行程消化中に撮影した写真画像データおよびその撮影時点の位置情報と時刻情報を受信し、先に生成された行程シナリオとの関連付けを行い、例えば、位置情報が一致する写真画像データをレイアウト設定して電子アルバムを生成する。【選択図】    図２
2005063302.tif 000002
【特許請求の範囲】
【請求項１】
端末装置とは通信ネットワークを介して接続される電子アルバム作成支援装置であって、
前記端末装置を介して行程情報の基本要素を取り込み、当該基本要素に基づき事前に用意されたシナリオ作成用素材データから電子アルバム形式の行程シナリオを生成する行程シナリオ生成部と、
前記行程を消化中に撮影した写真画像およびその撮影時点の位置情報および時刻情報を受信し、前記生成された行程シナリオと関連付けて所望の電子アルバムを生成する電子アルバム生成部と、
を備えることを特徴とする電子アルバム作成支援装置。
【請求項２】
前記電子アルバム生成部によって生成される電子アルバムを閲覧することにより編集した電子アルバムを、前記電子アルバム生成、あるいは編集に関与した前記端末装置もしくは事前に設定された端末装置に公開することを許可する端末認証部と、
を備えることを特徴とする請求項１に記載の電子アルバム作成支援装置。
【請求項３】
前記行程シナリオ生成部は、
当該行程シナリオを生成するために必要な場所とテーマを含む行程情報の基本要素を取り込み、
前記テーマに従って展開される前記場所に関連するオブジェクトが電子アルバム形式で表示される雛型を参照することによって選択される前記オブジェクトに優先度情報を付与して登録することを特徴とする請求項１に記載の電子アルバム作成支援装置。
【請求項４】
前記表示される各オブジェクトは、前記シナリオ生成用素材データのそれぞれの項目に該当し、前記それぞれの項目は、前記テーマに従って展開されるオブジェクト間のリンクを含むことを特徴とする請求項３に記載の電子アルバム作成支援装置。
【請求項５】
前記電子アルバム生成部は、
前記行程消化中に前記端末装置から送信される写真画像データを蓄積し、
当該蓄積されたそれぞれの写真画像データが撮影された場所の位置情報と、前記行程シナリオに登録されたオブジェクトの位置情報とを比較し、一致したオブジェクトに付与された前記優先度情報に従い該当する前記写真画像データを電子アルバム形式で台紙上にレイアウト設定することを特徴とする請求項１または３に記載の電子アルバム作成支援装置。
【請求項６】
前記電子アルバム生成部は、
前記優先度情報の違いにより前記オブジェクトを異なるサイズで台紙上にレイアウト設定することを特徴とする請求項５に記載の電子アルバム作成支援装置。
【請求項７】
行程消化中に撮影した写真画像データを台紙に貼付して電子アルバムの作成を支援する電子アルバム作成支援方法であって、
行程情報の基本要素を取り込み、当該基本要素に基づき事前に用意されたシナリオ作成用素材データから電子アルバム形式の行程シナリオを生成する過程と、
前記行程を消化中に撮影した写真画像およびその撮影時点の位置情報および時刻情報を受信し、前記生成された行程シナリオと関連付けて所望の電子アルバムを生成する過程と、
を備えることを特徴とする電子アルバム作成支援方法。
【請求項８】
端末装置とは通信ネットワークを介して接続され、行程消化中に前記通信ネットワークを介して受信した写真画像データを台紙に貼付する電子アルバム作成支援装置に用いられるコンピュータプログラムであって、
前記端末装置を介して行程情報の基本要素を取り込み、当該基本要素に基づき事前に用意されたシナリオ作成用素材データから電子アルバム形式の行程シナリオを生成する処理と、
前記行程を消化中に撮影した写真画像およびその撮影時点の位置情報および時刻情報を受信し、前記生成された行程シナリオと関連付けて所望の電子アルバムを生成する処理と、
をコンピュータに実行させるコンピュータプログラム。
【発明の詳細な説明】
【技術分野】
【０００１】
本発明は、インターネット等の通信ネットワークを介して受信した写真画像データを台紙に貼付して提供する電子アルバム作成システムに用いて好適な、電子アルバム作成支援装置におよびその方法ならびにコンピュータプログラムに関する。
【背景技術】
【０００２】
旅先等において撮影された写真画像を台紙に貼付して電子アルバムを作成する、電子アルバム作成装置が多数提案されている。
例えば、電子アルバムにおける画像の登録、分類を容易化するために、ＧＰＳ（Global Positioning System）情報をもとに画像を台紙データ上に貼付する技術が知られている（例えば、特許文献１参照）。
【０００３】
また、旅行に出かけたときに撮影した画像を旅行中に電子アルバムとして編集可能とし、また、それを簡単に公開できるように、モバイル端末を利用して撮影画像に位置情報と時間情報とを関連付けて登録する技術もある（例えば、特許文献２参照）。更に、データをレイアウトしながら登録する手間を省くために、台紙に属性情報を付与し、台紙を選択するだけでデータ管理と画像の表示を容易に行うことのできる技術も知られている（例えば、特許文献３参照）。
【特許文献１】特開２００２−３２９１９１号公報
【特許文献２】特開２００２−１８３７４２号公報
【特許文献３】特開平９−１９８３９２号公報
【発明の開示】
【発明が解決しようとする課題】
【０００４】
特許文献１に開示された技術によれば、画像データを分類、整理するにあたり、既定のポイント（位置情報）に基づいてレイアウト配置の自動化が行われる。このため、自動化と逆行し、ポイントの追加、変更や、表示サイズ、背景等の指定を伴うレイアウトの調整については事後的な作業を軽減することはできない。
また、特許文献２に開示された、位置と時間情報およびコメント情報による電子アルバムの作成技術においても、作成した画像データが多数に及ぶ場合、旅行中のイベント（観光スポット、移動中等）に従う分類、整理、階層化のための操作が煩雑である。更に、特許文献３に開示された、表紙、台紙、仕切紙の種類によって登録データである画像の挿入、削除の処理を区別する技術によっても登録データの分類は全てユーザが行う必要があり、従ってユーザにかかる負担が大きい。
【０００５】
本発明は上記事情に基づきなされたものであり、レイアウト設定のためのユーザフレンドリなインタフェースを提供し電子アルバム作成支援を行うことで、旅行計画の過程で無理なく事前のレイアウト設定を可能とし、事後の分類、整理を容易化した、電子アルバム作成支援装置およびその方法ならびにコンピュータプログラムを提供することを目的とする。
【課題を解決するための手段】
【０００６】
上記した課題を解決するために本発明は、端末装置とは通信ネットワークを介して接続される電子アルバム作成支援装置であって、前記端末装置を介して行程情報の基本要素を取り込み、当該基本要素に基づき事前に用意されたシナリオ作成用素材データから電子アルバム形式の行程シナリオを生成する行程シナリオ生成部と、前記行程を消化中に撮影した写真画像およびその撮影時点の位置情報および時刻情報を受信し、前記生成された行程シナリオと関連付けて所望の電子アルバムを生成する電子アルバム生成部と、を備えることを特徴とする。
【０００７】
本発明によれば、行程シナリオ生成部が、例えば、旅行する地域や、観る、食べる等の旅行テーマから成る行程情報の基本要素が利用者によって入力されることにより、事前に用意されたシナリオ作成用素材データから関連画像を抽出して電子アルバム形式の行程シナリオを生成し、電子アルバム生成部が、行程消化中に撮影した写真画像データおよびその撮影時点の位置情報と時刻情報を受信し、行程シナリオ生成部によって生成される行程シナリオとの関連付けを行い、例えば、位置情報が一致する写真画像データをレイアウト設定して電子アルバムを生成することで、レイアウト設定のためのユーザフレンドリなインタフェースによる電子アルバム作成支援が可能となり、行程計画の過程で無理なく事前のレイアウト設定を可能とし、事後の分類、整理を容易化することができる。
【０００８】
また、本発明において、前記電子アルバム生成部によって生成される電子アルバムを閲覧することにより編集した電子アルバムを、前記電子アルバム生成、あるいは編集に関与した前記端末装置もしくは事前に設定された端末装置に公開することを許可する端末認証部と、を備えることを特徴とする。
【０００９】
本発明によれば、端末認証部が、電子アルバムを、生成あるいは編集に関与した端末装置、もしくは事前に設定された端末装置への公開を許可することで、セキリティ性を高めることは勿論、例えば、グループ旅行等で撮影され、作成される電子アルバムおよびコメントに関する情報の共有も可能になる。
【００１０】
また、本発明において、前記行程シナリオ生成部は、当該行程シナリオを生成するために必要な場所とテーマを含む行程情報の基本要素を取り込み、前記テーマに従って展開される前記場所に関連するオブジェクトが電子アルバム形式で表示される雛型を参照することによって選択される前記オブジェクトに優先度情報を付与して登録することを特徴とする。
【００１１】
また、本発明において、前記イベントテンプレートに表示される各オブジェクトは、前記シナリオ生成用素材データのそれぞれの項目に該当し、前記それぞれの項目は、前記テーマに従って展開されるオブジェクト間のリンクを含むことを特徴とする。
【００１２】
また、本発明において、前記電子アルバム生成部は、前記行程消化中に前記端末装置から送信される写真画像データを蓄積し、当該蓄積されたそれぞれの写真画像データが撮影された場所の位置情報と、前記行程シナリオに登録されたオブジェクトの位置情報とを比較し、一致したオブジェクトに付与された前記優先度情報に従い該当する前記写真画像データを電子アルバム形式で台紙上にレイアウト設定することを特徴とする。
【００１３】
また、本発明において、前記電子アルバム生成部は、前記優先度情報の違いにより前記オブジェクトを異なるサイズで台紙上にレイアウト設定することを特徴とする。
【００１４】
上記した課題を解決するために本発明は、行程消化中に撮影した写真画像データを台紙に貼付して電子アルバムの作成を支援する電子アルバム作成支援方法であって、行程情報の基本要素を取り込み、当該基本要素に基づき事前に用意されたシナリオ作成用素材データから電子アルバム形式の行程シナリオを生成する過程と、前記行程を消化中に撮影した写真画像およびその撮影時点の位置情報および時刻情報を受信し、前記生成された行程シナリオと関連付けて所望の電子アルバムを生成する過程と、を備えることを特徴とする。
【００１５】
上記した課題を解決するために本発明は、端末装置とは通信ネットワークを介して接続され、行程消化中に前記通信ネットワークを介して受信した写真画像データを台紙に貼付する電子アルバム作成支援装置に用いられるコンピュータプログラムであって、前記端末装置を介して行程情報の基本要素を取り込み、当該基本要素に基づき事前に用意されたシナリオ作成用素材データから電子アルバム形式の行程シナリオを生成する処理と、前記行程を消化中に撮影した写真画像およびその撮影時点の位置情報および時刻情報を受信し、前記生成された行程シナリオと関連付けて所望の電子アルバムを生成する処理と、をコンピュータに実行させることを特徴とする。
【発明の効果】
【００１６】
本発明によれば、電子アルバムの作成に際して、レイアウトを事前に設定するユーザフレンドリなインタフェースを提供して支援することにより、旅行計画の過程で無理なく事前のレイアウト設定を実現することができる。また、撮影された写真画像データが多数におよぶ場合であっても、あらかじめ設定した条件に基づいて自動的にレイアウトされるため、事後の分類や整理が容易になる。
更に、作成される電子アルバムは、画像データが撮影された位置情報、時刻情報に基づき、例えば、観光スポットや移動中等、整理ニーズ（タイトル）に応じた形式で表現されるため、旅行経験の実感にそくした起伏やめりはりのある構成で作成が可能になる。また、電子アルバムの作成につき、複数端末に閲覧を許可することにより、グループ旅行等において撮影される画像およびコメント情報の共有も可能になる。
【発明を実施するための最良の形態】
【００１７】
図１は、本発明の電子アルバム作成支援装置が接続される通信インフラストラクチャの基本構成を示す図である。
図１において、１は、ユーザである利用者が所持し、管理する利用者端末、２は利用者の携帯端末、３はサービス提供事業者が管理運営し本発明の電子アルバム作成支援装置が実装されるサーバ（以下、電子アルバム作成支援サーバ３という）であり、いずれもインターネット等の通信ネットワーク４を介して接続される。
なお、携帯端末２は、利用者が旅行中に携行するカメラ付き携帯端末とし、通信ネットワーク４に接続するツールを備えたカメラおよびＧＰＳレシーバ付きのＰＤＡ（Personal Digital Assistants）や、同機能を内蔵するディジタルカメラで代用してもよい。
【００１８】
概略動作を説明すれば以下のようになる。すなわち、利用者は、旅行に先立ち、利用者端末１を操作してサービス提供事業者が運営するサイトをアクセスして旅行のための行程シナリオを作成する。行程シナリオを作成するにあたり、電子アルバム作成支援サーバ３は、観光地域、日程、テーマ、交通機関等の基本情報（行程情報の基本要素）に関して電子アルバム形式による選択入力を促すユーザフレンドリなインタフェース（後述する基本情報設定画面やイベントテンプレート）を提供する。
次に、利用者は旅行中に撮影した写真画像を携帯端末２もしくは利用者端末１から電子アルバム作成支援サーバ３に対して送信する。このことにより、電子アルバム作成支援サーバ３は、先に作成した行程シナリオと、受信した写真画像とを関連付けて電子アルバムを生成し、その電子アルバムを、電子アルバムの作成に関与した利用者端末１、および閲覧が許可された利用者端末１にのみ公開する。そして、利用者は利用者端末１を操作することでサービス提供事業者のサイトをアクセスし、作成された電子アルバムの閲覧、編集が可能になる。
【００１９】
図２は、本発明実施形態の構成を機能展開して示したブロック図であり、図１に示した電子アルバム作成支援サーバ３の構成が示されている。
図２に示されるように、本発明が実装される電子アルバム作成支援サーバ３は、通信インタフェース部３１と、ＧＵＩ（Graphical User Interface）部３２と、行程シナリオ生成部３３と、電子アルバム生成部３４と、端末認証部３５と、行程シナリオ生成用素材データ３６と、画像登録ＤＢ３７で構成される。
【００２０】
通信インタフェース部３１は、通信ネットワーク４とのインタフェースを司り、ここではインターネット接続されるため、ＴＣＰ／ＩＰ（Transmission Control Protocol／Internet Protocol）他が実装される。また、ＧＵＩ部３２は、電子アルバム作成支援サーバ３により生成される、後述する基本情報設定画面（図１０ａ）、イベントテンプレート（図１０ｂ）、旅行シナリオ登録画面（図１１）等に関する画面情報の出力、および利用者端末１によって入力される情報の取込みを、通信インタフェース部３１を介して実行する。
行程シナリオ生成部３３は、利用者端末１を介して、旅行の地域、日程、テーマなどの基本情報（行程情報の基本要素）を取り込み、当該基本情報に基づき事前に用意されたシナリオ作成用素材データ３６から電子アルバム形式の行程シナリオを生成する機能を持つ。また、電子アルバム生成部３４は、行程を消化中に撮影した写真画像およびその撮影時点の位置情報および時刻情報を携帯端末２から受信し、行程シナリオ生成部３３により生成された行程シナリオと関連付けて所望の電子アルバムを生成する機能を持つ。そして行程シナリオ生成部３３は行程シナリオＤＢ３８に生成した行程シナリオを記録し、また電子アルバム生成部３４は電子アルバムＤＢ３９に生成した電子アルバムを記録する。
【００２１】
端末認証部３５は、電子アルバム生成部３４によって生成される電子アルバムを閲覧することにより編集した電子アルバムを、電子アルバム生成、あるいは編集に関与した利用者端末１もしくは事前に設定された利用者端末１に公開することを許可する機能を持つ。
【００２２】
なお、行程シナリオ生成用素材データ３６として、例えば、図３、図４にデータ構造の一例が示される目的地情報ＤＢ（データベース）、交通情報ＤＢがある。
目的地情報ＤＢは、後述するイベントテンプレートを構成するオブジェクト（画像）毎に、そのＩＤ、名称、位置情報、地域区分、大区分、小区分、そして、イメージリンクと所要時間のそれぞれのデータ項目を有する。
ここで、イメージリンクとは、後述する基本情報設定画面に入力されるテーマに従って展開される、“観る”“移動する”“宿泊する”“食べる”等のイベント毎に用意されるオブジェクト間のリンクを意味する。また、所要時間とは、イベントの実行に要する平均所要時間、ここでは該当オブジェクトの観光に要する平均所要時間を意味する。
また、交通情報ＤＢは、図４にそのデータ構造の一例が示されるように、ＩＤ、名称、位置情報、地域区分、大区分、路線名の各データ項目から構成される。
また図５は画像登録ＤＢ３７が保持するデータの構造を示す図であり、この図が示すように画像登録ＤＢ３７には、ＩＤ、利用者により携帯電話２から送信された写真画像データのイメージリンク、撮影情報、撮影日、撮影時間が記録される。
【００２３】
また図６は行程シナリオＤＢ３８が保持するデータの構造を示す図であり、この図が示すように行程シナリオＤＢ３８は、例えばユーザのＩＤと行程シナリオのデータを対応付けて記憶している。
また図７は電子アルバムＤＢ３９が保持するデータの構造を示す図であり、この図が示すように、電子アルバムＤＢ３９はユーザのユーザＩＤと電子アルバムのデータを対応付けて記憶している。
【００２４】
図８、図９は、本発明実施形態の動作を説明するために引用したフローチャートであり、それぞれ、行程シナリオ生成処理、電子アルバム生成処理におけるコンピュータプログラムの処理手順を示す。
また、図１０〜図１２は、本発明実施形態において使用されるＧＵＩ画面構成の一例を示す図であり、基本情報設定画面（図１０のａ）、イベントテンプレート（図１０のｂ）行程シナリオ登録画面（図１１）、電子アルバム（図１２）のそれぞれを示す。
以下、図８〜図１２を参照しながら図２〜図５に示す本発明実施形態の動作について詳細に説明する。
【００２５】
まず、利用者は旅行に先立ち、利用者端末１を操作することによりインターネット等の通信ネットワーク４を介してサービス提供事業者が運営するサイトにアクセスする。アクセスを受信したサイトの電子アルバム作成支援サーバ３は、ＧＵＩ部３２により通信インタフェース部３１を介して基本情報設定画面情報を送信する。図１０（ａ）に基本情報設定画面が示されている。ここで、利用者は、旅行シナリオ作成に必要となる、地域、日程、テーマについて入力を行う。例えば、地域（福岡）、日程（８月１日〜８月４日）、テーマ（観光）を入力して基本情報設定を終える（Ｓ６１）。
次に、ＧＵＩ部３２を介して取り込まれた上記の入力された基本情報は行程シナリオ生成部３３へ供給される。続いて行程シナリオ生成部３３は、ＧＵＩ部３２、通信ネットワーク４を介して図１０（ｂ）に示されるイベントテンプレート（雛型）を送信する。このイベントテンプレートには、テーマに従って展開される、具体的には福岡に関連する観光スポット（オブジェクト）がサムネイル展開して出力され、これを受信した利用者端末１上で表示される。
【００２６】
利用者は、上記したイベントテンプレート群から成るシナリオ生成用素材データ３６からドラッグアンドドロップ等の操作でアルバム形式の行程シナリオを作成する。すなわち、利用者は、表示されたイベントテンプレートを参照し、観光を予定しているスポットに対応するオブジェクト（画像）を選択し（Ｓ６２）、続いて目的地間の交通手段を選択操作する（Ｓ６４）。
電子アルバム作成支援サーバ３は、具体的には、行程シナリオ生成部３３が、オブジェクトは目的地情報ＤＢ、交通手段は交通情報ＤＢを参照し、ＧＵＩ部３２、通信インタフェース部３１を介して利用者端末１へ送信することにより、上記した利用者による選択操作を可能にしている。
【００２７】
利用者は、続いてＧＵＩ部３２、通信インタフェース部３１を介して送信され、利用者端末１上に表示される、図１１に示される行程シナリオ登録画面に表示された観光スポットのオブジェクトおよび交通手段のそれぞれに対して優先度情報（高、低、中）を付与して登録する（Ｓ６３、Ｓ６５）。ここで、優先度情報を“高”に設定した場合、例えば、観光スポットであれば、特に訪れたいスポットを意味するものであり、後述するように、旅行後に作成される電子アルバムにストーリーの起伏を持たせるために必要とする情報となる。
以上の操作および処理は、利用者が満足する行程シナリオが完成するまで繰り返される（Ｓ６６）。そして行程シナリオの生成が完了すると行程シナリオ生成部３３は行程シナリオＤＢ３８に行程シナリオのデータを記録する。
このように、本発明における行程シナリオは、観光スポット（オブジェクト）がその座標とともに記録される。行程シナリオは実際の行程、例えば１日目、２日目と日付ごとに区分けされて記録されるようにしてもよい。さらには、アルバムとして表示される情報として各観光スポット（オブジェクト）の観光情報などが合わせて記録されるようになっていても良い。この観光情報などは、シナリオ生成用素材データ３６に記録されるようにして、自動的に読み出されるようにしてもよい。
【００２８】
なお、オブジェクトは複数選択可能とし、それぞれに優先度が付されるものとする。また、図１０（ｂ）に示されるように、イベントテンプレートは、テーマ（観光）の他に、利用者により、「移動する」、「泊まる」、「食べる」がテーマ選択された場合にも同様、図３に示される目的地情報ＤＢを参照してそれぞれに対応するオブジェクトがサムネイル展開され表示される。
更に、Ｓ６３、Ｓ６５のシナリオ登録操作にあたり、あらかじめデフォルトで１日の行動時間の上限が設定されており、登録される各行程の合計所要時間が先の上限を越えた場合に登録を不可とする配慮もなされている。
【００２９】
一方、上記のように旅行計画を策定後、利用者は、カメラとＧＰＳ機能を備えた携帯端末２を携行しながら行程シナリオに従って行動し、行程シナリオ消化中に撮影した写真画像データ、および写真撮影時点の位置情報や時刻情報を電子アルバム作成支援サーバ３へ送信する。これは、あらかじめ携帯端末２にダウンロードされたアプリケーションによって自動的に送信されることとする。
電子アルバム作成支援サーバ３は、通信インタフェース部３１、ＧＵＩ部３２を介してこれら情報を受信して電子アルバム生成部３４へ提供する（Ｓ７１）。電子アルバム生成部３４は、これら情報を図５にデータ構造の一例が示される画像登録ＤＢ３７に蓄積する。電子アルバム生成部３４また、これら蓄積された情報と予め作成済みの行程シナリオとの関連付けを行い（Ｓ７２）、電子アルバムを生成する。その際、めりはりのある電子アルバムとするため、電子アルバムに以下に示す編集加工が施される。
【００３０】
具体的に、電子アルバム生成部３４は、画像登録ＤＢ３７に蓄積されたそれぞれの写真画像データが撮影された場所の位置情報と、先に行程シナリオとして登録されたオブジェクトの位置情報とを比較し、一致したオブジェクトを検索し、当該オブジェクトに付与されている優先度情報に従い、写真画像データをアルバム形式でレイアウト設定する（Ｓ７３）。
例えば、優先度情報が“高”となっているオブジェクトについてはその写真画像データを単独のトピックとして比較的大きなサイズでレイアウト設定し、“低”となっているオブジェクトについては、対応する写真画像データをサムネイル形式で小さなサイズでレイアウトする。“中”となっている場合はその中間サイズでレイアウト設定する。
そして電子アルバム生成部３４は生成した電子アルバムのデータを電子アルバムＤＢ３９に記録する。
前記したように、行程シナリオが例えば１日目、２日目と区分けされて記録されている場合に、電子アルバムのデータもそれぞれ１日目のアルバムのデータ、２日目のアルバムのデータというように区分けしてもよい。また、レイアウトされた写真画像データの近傍に、行程シナリオに記録された観光情報が表示されてもよい。さらには、画像情報とともに送信された時刻情報を合わせて表示するようにしてもよい。このように電子アルバムＤＢ３９には、行程シナリオＤＢ３８に記憶された行程シナリオに基づいて、電子アルバムとして表示すべきデータの情報がレイアウト情報（画像の大きさ、位置等）とともに記録される。
【００３１】
図１２に電子アルバム画面の一例が示されている。図１２では、２日目の行程シナリオである「大宰府天満宮」を観光したときの画面構成例が示されており、先に設定した重点セクション（優先度高）に対応する地点で撮影された写真画像と、他の重要度の低い（優先度低）写真画像は、それぞれ異なるサイズで配置されていることがわかる。このようにして撮影枚数の大小に応じて階層化がはかれ、事後設定情報に基づき背景画像が付加される。
【００３２】
最後に、利用者は利用者端末１、あるいは携帯端末２を操作して電子アルバム作成支援サーバ３をアクセスして電子アルバム生成部３４により作成された電子アルバムを閲覧し、コメントを書き込む等の編集を行うことができる。
なお、電子アルバム生成部３４によって作成される電子アルバムを閲覧、あるいは編集するためには、当該電子アルバム生成、あるいは編集に関与した利用者端末１もしくは事前に設定された利用者端末１にのみその操作を許可している。このため、端末認証部３５は、電子アルバムの公開に先立ち、アクセスのあった端末のユニークなＩＤ、もしくはユーザＩＤとパスワードの組のチェックを行っている。このことにより、グループ旅行において撮影される写真画像データおよびコメント情報の共有化がはかれる。
【００３３】
なお、図２に示す通信インタフェース部３１、ＧＵＩ部３２、行程シナリオ生成部３３、電子アルバム生成部３４、端末認証部３５のそれぞれで実行される手順をコンピュータ読み取り可能な記録媒体に記録し、この記録媒体に記録されたプログラムをコンピュータシステムに読み込ませ、実行することにより本発明の電子アルバム作成支援装置が実現されるものとする。ここでいうコンピュータシステムとは、ＯＳや周辺機器等のハードウェアを含むものである。
【００３４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３５】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３６】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３７】
【図１】本発明の電子アルバム作成支援装置が接続される通信インフラストラクチャの基本構成を示す図である。
【図２】本発明実施形態の構成を機能展開して示したブロック図である。
【図３】本発明実施形態において使用されるデータベースのデータ構造の一例を示す図である。
【図４】本発明実施形態において使用されるデータベースのデータ構造の一例を示す図である。
【図５】本発明実施形態において使用されるデータベースのデータ構造の一例を示す図である。
【図６】本発明実施形態において使用される行程シナリオＤＢが保持するデータの構造の一例を示す図である。
【図７】本発明実施形態において使用される電子アルバムＤＢが保持するデータの構造の一例を示す図である。
【図８】本発明実施形態の動作を説明するために引用したフローチャートである。
【図９】本発明実施形態の動作を説明するために引用したフローチャートである。
【図１０】本発明実施形態において使用されるＧＵＩ画面構成の一例を示す図である。
【図１１】本発明実施形態において使用されるＧＵＩ画面構成の一例を示す図である。
【図１２】本発明実施形態において使用されるＧＵＩ画面構成の一例を示す図である。
【符号の説明】
【００３８】
1…利用者端末、２…携帯端末、３…電子アルバム作成支援サーバ、３１…通信インタフェース部、３２…ＧＵＩ部、３３…行程シナリオ生成部、３４…電子アルバム生成部、３５…端末認証部、３６…行程シナリオ生成用素材データ、３７…画像登録ＤＢ、３８…行程シナリオＤＢ、３９…電子アルバムＤＢ
【図１】
2005063302.tif 000003
【図２】
2005063302.tif 000004
【図３】
2005063302.tif 000005
【図４】
2005063302.tif 000006
【図５】
2005063302.tif 000007
【図６】
2005063302.tif 000008
【図７】
2005063302.tif 000009
【図８】
2005063302.tif 000010
【図９】
2005063302.tif 000011
【図１０】
2005063302.tif 000012
【図１１】
2005063302.tif 000013
【図１２】
2005063302.tif 000014